(57)【要約】【課題】精白部等の清掃および清掃状態の確認を行うことが容易であり、ハウジング内を清潔に保つことができる精米機を提供する。【解決手段】ハウジング２と、ハウジング２の上部に着脱可能に装着され玄米を貯留する玄米ホッパ３と、ハウジング２の内部における玄米ホッパ３の下方位置に配置され玄米を精白する精白部５と、ハウジング２に着脱可能に装着され精白部５にて玄米から取り除かれた糠を貯留する糠ケース６と、ハウジング２に着脱可能に装着され精白部５にて精白され精白部５から排出された精米を貯留する精米ケース７とを備え、ハウジング２は、精白部５の一側方および下方を開放する下面２３の開口部２３ａおよび右側面２５の開口部２５ａを有しており、開口部２３ａ、２５ａは、ハウジング２に装着された糠ケース６により閉塞され、精白部５は、糠ケース６がハウジング２から取り外された状態において開口部２３ａ、２５ａを通じて外部に露出する。【選択図】図３
2020062583.tif 000002
【特許請求の範囲】
【請求項１】
ハウジングと、
前記ハウジングの上部に着脱可能に装着され、玄米を貯留する玄米ホッパと、
前記ハウジングの内部における前記玄米ホッパの下方位置に配置され、玄米を精白する精白部と、
前記ハウジングに着脱可能に装着され、前記精白部にて玄米から取り除かれた糠を貯留する糠ケースと、
前記ハウジングに着脱可能に装着され、前記精白部にて精白され前記精白部から排出された精米を貯留する精米ケースとを備え、
前記ハウジングは、前記精白部の一側方および下方を開放する開口面を有しており、
前記開口面は、前記ハウジングに装着された前記糠ケースにより閉塞され、
前記精白部は、前記糠ケースが前記ハウジングから取り外された状態において前記開口面を通じて外部に露出する、
ことを特徴とする精米機。
【請求項２】
前記精白部は、軸心が前記ハウジングの前記開口面に沿った方向に配置される精白ロールと、前記精白ロールの外周部を覆う除糠網とを有し、
前記除糠網は、前記精白ロールの軸心方向に沿って引き出し可能に前記ハウジングに装着されている、
ことを特徴とする請求項１に記載の精米機。
【請求項３】
前記精白ロールの前記軸心方向における一端側に配置され、前記精白部にて精白され前記精白部から排出される精米に対して排出抵抗を付与する抵抗部を有し、
前記抵抗部は、前記ハウジングに対して着脱可能に装着される、
ことを特徴とする請求項２に記載の精米機。
【請求項４】
前記糠ケースは、内部を視認可能な透明部材にて形成されている、
ことを特徴とする請求項１〜請求項３の何れか一項に記載の精米機。
【請求項５】
前記精白部を駆動する駆動源と、前記駆動源からの駆動力を前記精白部に伝達する伝達機構とを有し、
前記ハウジングは、前記精白部を収容する精白部収容室と、前記駆動源および前記伝達機構を収容する駆動部収容室とを有し、
精白部収容室と駆動伝達部収容室とが隔離されている、
ことを特徴とする請求項１〜請求項４の何れか一項に記載の精米機。
【請求項６】
前記糠ケースが前記ハウジングから取り外されると、前記駆動源への電源供給を遮断する遮断装置が設けられている、
ことを特徴とする請求項５に記載の精米機。
【発明の詳細な説明】
【技術分野】
【０００１】
本発明は、玄米を精白する精米機に関する。
【背景技術】
【０００２】
従来、玄米を貯留する玄米ホッパと、玄米を精白する精白部と、精白部にて玄米から取り除かれた糠を貯留する糠ケースと、精白部にて精白された精米を貯留する精米ケースとを備えた精米機が知られている（例えば特許文献１参照）。
【０００３】
このような精米機においては、玄米の精白を繰り返していくと、精白部を構成する精白ロールや除糠網等に玄米から取り除かれた糠が付着して徐々に堆積していき、精米能力が低下したり虫が湧いたりすることがあるため、精白部を清掃して付着した糠を取り除くことが好ましい。
【先行技術文献】
【特許文献】
【０００４】
【特許文献１】特開２０１５-１７４０５０号公報
【発明の概要】
【発明が解決しようとする課題】
【０００５】
しかし、従来の精米機における精白部は、周囲がハウジングやケーシング等によって覆われているとともに、ハウジングにおける糠ケースや精米ケースの着脱口から奥まった位置に配置されていたため、糠を除去するためのブラシや手が精白部に届きにくく、十分に精白部の清掃を行うことができなかった。
また、精白部をハウジングの外部から視認しにくいため、清掃状態を確認することが困難であった。
【０００６】
そこで、本発明においては、精白部等の清掃および清掃状態の確認を行うことが容易であり、ハウジング内を清潔に保つことができる精米機を提供するものである。
【課題を解決するための手段】
【０００７】
上記課題を解決する精米機は、以下の特徴を有する。
即ち、本発明の精米機は、ハウジングと、前記ハウジングの上部に着脱可能に装着され、玄米を貯留する玄米ホッパと、前記ハウジングの内部における前記玄米ホッパの下方位置に配置され、玄米を精白する精白部と、前記ハウジングに着脱可能に装着され、前記精白部にて玄米から取り除かれた糠を貯留する糠ケースと、前記ハウジングに着脱可能に装着され、前記精白部にて精白され前記精白部から排出された精米を貯留する精米ケースとを備え、前記ハウジングは、前記精白部の一側方および下方を開放する開口面を有しており、前記開口面は、前記ハウジングに装着された前記糠ケースにより閉塞され、前記精白部は、前記糠ケースが前記ハウジングから取り外された状態において前記開口面を通じて外部に露出する。
これにより、容易に精白部の清掃を行うことが可能であるとともに、精白部の清掃状態を確認することができ、ハウジング内を清潔に保つことができる。
【０００８】
また、前記精白部は、軸心が前記ハウジングの前記開口面に沿った方向に配置される精白ロールと、前記精白ロールの外周部を覆う除糠網とを有し、前記除糠網は、前記精白ロールの軸心方向に沿って引き出し可能に前記ハウジングに装着されている。
これにより、除糠網を単独で容易に清掃することができる。また、除糠網を引き出すことで精白ロールが外部に露出することとなり、露出した精白ロールを容易に清掃することが可能となる。
【０００９】
また、前記精白ロールの前記軸心方向における一端側に配置され、前記精白部にて精白され前記精白部から排出される精米に対して排出抵抗を付与する抵抗部を有し、前記抵抗部は、前記ハウジングに対して着脱可能に装着される。
これにより、ハウジングから取り外した抵抗部を単独で容易に清掃することが可能となる。
【００１０】
また、前記糠ケースは、内部を視認可能な透明部材にて形成されている。
これにより、精白部における糠の付着状況を、糠ケースを通じて視認することができ、精白部の清掃を行う時期を把握しやすくなる。
【００１１】
また、前記精白部を駆動する駆動源と、前記駆動源からの駆動力を前記精白部に伝達する伝達機構とを有し、前記ハウジングは、前記精白部を収容する精白部収容室と、前記駆動源および前記伝達機構を収容する駆動部収容室とを有し、精白部収容室と駆動伝達部収容室とが隔離されている。
これにより、精白部にて生じた糠が駆動部収容室内に侵入することを抑制でき、駆動源および伝達機構に糠が付着して駆動の妨げになることを抑制可能である。
【００１２】
また、前記糠ケースが前記ハウジングから取り外されると、前記駆動源への電源供給を遮断する遮断装置が設けられている。
糠ケースがハウジングから取り外され精白部が外部に露出した状態で駆動源に電源が供給されると、精白部が駆動して糠が外部に飛散してしまう。しかし、電源供給の遮断装置を設けることで、糠ケースが取り外された状態で不意に精白部が駆動して糠が飛散することを防止できる。
また、糠ケースをハウジングから取り外し、さらに抵抗部および除糠網を外した場合、精白ロールが外部に露出することとなる。しかし、電源供給の遮断装置を設けることで、外部に露出した状態の精白ロールが不意に駆動されることがなく、駆動状態の精白ロールに使用者が直接触れてしまうことを防止することができる。
【発明の効果】
【００１３】
本発明によれば、容易に精白部の清掃を行うことが可能であるとともに、精白部の清掃状態を確認することができ、ハウジング内を清潔に保つことができる。
【図面の簡単な説明】
【００１４】
【図１】精米機を示す斜視図である。
【図２】精米機を示す側面図である。
【図３】精米機を示す分解側面図である。
【図４】除糠網を示す斜視図である。
【図５】ハウジングの前面を示す斜視図である。
【図６】糠ケースを示す斜視図である。
【図７】精米ケースを示す斜視図である。
【発明を実施するための形態】
【００１５】
次に、本発明を実施するための形態を、添付の図面を用いて説明する。
【００１６】
図１〜図３示す精米機１は、本発明に係る精米機の一実施形態である。
以下の説明では、図１に示すように、精米機１が使用可能に設置された状態を基準として前後、左右、および上下を定める。
【００１７】
精米機１は、ハウジング２と、玄米を貯留する玄米ホッパ３と、玄米を精白する精白部５と、精白部５にて玄米から取り除かれた糠を貯留する糠ケース６と、精白部５にて精白され精白部５から排出された精米を貯留する精米ケース７と、精白部５を駆動する駆動部４と、精白部５にて精白され精白部５から排出される精米に対して排出抵抗を付与する抵抗部８とを備えている。
【００１８】
ハウジング２は、精白部５を収容する精白部収容室２Ａと、駆動部４を収容する駆動部収容室２Ｂとを有している。精白部収容室２Ａと駆動部収容室２Ｂとは隔離壁２１により隔離されている。ハウジング２は、例えばアルミダイカスト等の金属の鋳造品にて形成することができる。
【００１９】
精白部収容室２Ａの上方にはハウジング２の上面２２が、下方にはハウジング２の下面２３が、左方にはハウジング２の左側面２４が、右方にはハウジング２の右側面２５が、前方にはハウジング２の前面２６が、後方には隔離壁２１が配置されている。
【００２０】
下面２３は、精白部５の下方を開放する開口部２３ａを有している。右側面２５は、精白部５の右方を開放する開口部２５ａを有している。下面２３は開口部２３ａにより全体的に開放されており、右側面２５は開口部２５ａにより全体的に開放されている。つまり、下面２３は精白部５の下方を開放する開口面として形成されており、右側面２５は精白部５の一側方である右方を開放する開口面として形成されている。
【００２１】
ハウジング２の後端部には、駆動部収容室２Ｂを開閉する蓋部２７が配置されている。駆動部収容室２Ｂは、蓋部２７を閉じることにより密閉することが可能となっている。
【００２２】
駆動部４は、駆動部収容室２Ｂの下部に配置されるモータ４１と、モータ４１のモータ軸４１ａに固設される駆動プーリ４２と、モータ４１の上方に配置され前後方向に延出する駆動軸４３と、駆動軸４３に固設される従動プーリ４４と、駆動プーリ４２と従動プーリ４４との間に架け渡されるベルト４５とを有している。
【００２３】
モータ４１は精白部５を駆動する駆動源であり、駆動プーリ４２、駆動軸４３、従動プーリ４４、およびベルト４５は、モータ４１からの駆動力を精白部５に伝達する伝達機構を構成している。駆動軸４３は、ベアリング４６を介してハウジング２に回転可能に支持されている。
【００２４】
駆動部４においては、モータ４１が回転駆動されると、モータ４１からの駆動力が、駆動プーリ４２、ベルト４５、および従動プーリ４４を介して駆動軸４３に伝達され、駆動軸４３が回転することとなる。
なお、本実施形態においては、モータ４１からの駆動力を駆動プーリ４２、ベルト４５、および従動プーリ４４を介して駆動軸４３に伝達するように構成しているが、モータ４１の駆動軸４１ａを駆動軸４３に直接接続して駆動するように構成することも可能である。
【００２５】
玄米ホッパ３は、ハウジング２の上部に装着されている。玄米ホッパ３は、玄米を貯留するホッパ本体３１と、ホッパ本体３１の上端部に着脱可能に配置されるホッパ蓋３２とを有している。
ホッパ本体３１の上端部には開口した投入口３１ａが形成され、ホッパ本体３１の下端部には開口した流下口３１ｂが形成されている。ホッパ本体３１は、投入口３１ａよりも流下口３１ｂが小径に形成された下細りのロート形状に形成されている。
ホッパ本体３１の外周面には、ホッパ本体３１における玄米の貯留量を示す目盛りが付されている。
【００２６】
ハウジング２の上面２２には、精白部収容室２Ａ内と外部とを連通する取入口２２ａが開口しており、ホッパ本体３１は取入口２２ａと流下口３１ｂとが連通するように上面２２に載置されている。
ホッパ本体３１が取入口２２ａと流下口３１ｂとが連通するように載置されることで、ホッパ本体３１内に貯留された玄米が、流下口３１ｂおよび取入口２２ａを通じて精白部収容室２Ａ内に流入することが可能となっている。
ホッパ本体３１の流下口３１ｂには、流下口３１ｂを開閉可能なシャッタを設けることができる。前記シャッタを設けた場合、ホッパ本体３１をハウジング２から取り外す際に前記シャッタを閉じることで、ホッパ本体３１内に玄米が貯留された状態で取り外すことが可能となる。
【００２７】
ハウジング２には係合具９１ａが取り付けられ、ホッパ本体３１には被係合具９１ｂが取り付けられており、ホッパ本体３１が上面２２に載置された状態で係合具９１ａを被係合具９１ｂに係合させることにより、ホッパ本体３１がハウジング２に固定される。このように、玄米ホッパ３は、工具を用いることなくハウジング２に装着することが可能である。また、ハウジング２に装着されたホッパ本体３１は、係合具９１ａと被係合具９１ｂとの係合状態を解除することにより、工具を用いることなくハウジング２から取り外すことが可能である。
このように、玄米ホッパ３のホッパ本体３１は、ハウジング２の上部に着脱可能に装着されている。
【００２８】
ホッパ蓋３２は、ホッパ本体３１の上端部に取り付けられることにより投入口３１ａを閉塞し、ホッパ本体３１の上端部から取り外されることにより投入口３１ａを開放する。
【００２９】
ホッパ本体３１およびホッパ蓋３２は、内部を視認可能な透明部材にて構成されている。これにより、ホッパ本体３１内に貯留された玄米を外部から視認可能となっている。
なお、ホッパ本体３１およびホッパ蓋３２を構成する透明部材は、完全な透明である必要ではなく、内部を視認可能であれば、半透明であったり、着色がなされていたりしてもよい。つまり、ホッパ本体３１およびホッパ蓋３２を構成する透明部材は、完全な透明部材のみならず、光が透過可能な半透明部材および着色部材をも含むものである。
また、ホッパ本体３１およびホッパ蓋３２は透明部材にて構成することが好ましいが、清掃が行い易く構成されていれば、必ずしも透明部材にて構成されていなくても良い。
【００３０】
精白部５は、精白部収容室２Ａ内において、玄米ホッパ３の下方位置に配置されている。精白部５は、精白ロール５１と、精白ロール５１の外周部を覆う除糠網５２とを有している。精白ロール５１の軸心は、開口面であるハウジング２の下面２３および右側面２５に沿った方向に配置されている。
駆動部収容室２Ｂ内に配置される駆動軸４３の前端部は隔離壁２１を通じて精白部収容室２Ａ内に突出しており、駆動軸４３の前端部に精白ロール５１があり、一体的に回転可能に構成されている。
【００３１】
精白ロール５１の後部における外周面には、螺旋状のねじ山部を有する螺旋溝５１ａが形成されている。精白ロール５１の螺旋溝５１ａが形成されている部分は、取入口２２ａの下方に配置されている。
精白ロール５１における螺旋溝５１ａよりも前方の部分の外周面には、螺旋溝５１ａのねじ山部と逆方向の螺旋状となる攪拌羽根５１ｂが形成されている。
【００３２】
図４に示すように、除糠網５２は、精白ロール５１の螺旋溝５１ａが形成されている部分から攪拌羽根５１ｂが形成されている部分にわたって外嵌される、断面視正六角形状の筒部材にて形成されている。
除糠網５２の後部における取入口２２ａの下方に位置する部分には、周面の上半部が取り除かれて上方に開口する開口部５２ｂが形成されている。除糠網５２の開口部５２ｂよりも前方に位置する部分には、周方向を長手方向とするスリット５２ａが多数形成されている。
【００３３】
多数のスリット５２ａは、前後方向に並設されている。除糠網５２の開口部５２ｂが形成されている部分の周面には、スリット５２ａは形成されていない。
これにより、取入口２２ａから精白部収容室２Ａ内に流入してきた玄米を、下方に漏れ落とすことなく、除糠網５２の開口部５２ｂが形成されている部分によって受け止めることが可能となっている。
【００３４】
図５に示すように、ハウジング２の前面２６には、除糠網５２の前端部における外形形状に対応した形状の嵌合孔２６ａが形成されており、嵌合孔２６ａには除糠網５２の前端部が嵌合している。
除糠網５２の前端部は、嵌合孔２６ａに嵌合することによりハウジング２の前面２６に支持されている。また、除糠網５２の後端部は、ハウジング２の隔離壁２１によって支持されている。
【００３５】
除糠網５２は前後方向に沿って移動可能に構成されており、嵌合孔２６ａを通じて前方へ引き出すことが可能となっている。除糠網５２は、嵌合孔２６ａを通じて前方へ引き出すことで、工具を用いることなく精白部収容室２Ａ内から外部へ取り出すことが可能となっている。
このように、除糠網５２は、精白ロール５１の軸心方向である前後方向に沿って引き出し可能にハウジング２に装着されている。また、除糠網５２を前方へ引き出すことにより、精白ロール５１が開口部２３ａ、２５ａを通じて外部に露出することとなる。
【００３６】
抵抗部８は、精白ロール５１の前端側に配置されており、ハウジング２の前端部に着脱可能に装着されている。精白ロール５１の前端側は、精白ロール５１の軸心方向における一端側である。
【００３７】
抵抗部８は、ケーシング８１と、抵抗板８２と、抵抗バネ８３と、ダイヤル８４とを有している。ケーシング８１は下面に開口部８１ｃが形成された箱形状に形成されており、ケーシング８１の後面には、除糠網５２の前端の開口部と連通する排出口８１ａが開口している。抵抗板８２は、排出口８１ａを開閉可能な円盤状部材である。
【００３８】
抵抗板８２は排出口８１ａよりも若干大径に形成されており、前後方向へ移動可能に構成されている。抵抗板８２が後方へ移動してケーシング８１の後面における排出口８１ａが形成された部分に当接することで排出口８１ａが閉塞され、抵抗板８２が前方へ移動してケーシング８１の後面との当接状態が解除されることで排出口８１ａが開放される。
抵抗部８においては、排出口８１ａが開放されると、精白部５にて玄米が精白されることにより生成された精米が、排出口８１ａを通じてケーシング８１内に流入するように構成されている。
【００３９】
抵抗部８のケーシング８１は、内部を視認可能な透明部材にて構成することができる。ケーシング８１を透明部材にて構成することにより、ケーシング８１内における精米の流入状況等を外部から視認可能とすることができる。
なお、抵抗部８を構成する透明部材は、完全な透明である必要ではなく、内部を視認可能であれば、半透明であったり、着色がなされていたりしてもよい。つまり、抵抗部８を構成する透明部材は、完全な透明部材のみならず、光が透過可能な半透明部材および着色部材をも含むものである。
また、ケーシング８１は透明部材にて構成することが好ましいが、清掃が行い易く構成されていれば、必ずしも透明部材にて構成されていなくても良い。
【００４０】
抵抗バネ８３は抵抗板８２を後方へ向けて付勢する付勢部材であり、抵抗板８２は抵抗バネ８３の付勢力によりケーシング８１の後面に押圧される。
ダイヤル８４は前後方向に配置される軸心を中心として回動可能に構成されており、ダイヤル８４を回動操作することにより、抵抗バネ８３の抵抗板８２に対する付勢力を調整することが可能となっている。
【００４１】
ハウジング２の前面２６における嵌合孔２６ａの下方には、係合フック２６ｂが形成されている。ハウジング２の前端部における上端には係合具９２ａが取り付けられている。
一方、ケーシング８１の後面における排出口８１ａの下方には係合孔８１ｂが形成されており、ケーシング８１の上端には被係合具９２ｂが取り付けられている。
ハウジング２側の係合フック２６ｂはケーシング８１側の係合孔８１ｂと係合可能に構成されており、ハウジング２側の係合具９２ａはケーシング８１側の被係合具９２ｂと係合可能に構成されている。
【００４２】
抵抗部８をハウジング２の前方に配置した状態で、係合フック２６ｂを係合孔８１ｂに係合させるとともに、係合具９２ａを被係合具９２ｂに係合させることで、抵抗部８がハウジング２の前端部に固定される。つまり、抵抗部８は、工具を用いることなくハウジング２に装着することができる。
また、ハウジング２に装着された抵抗部８は、係合具９２ａと被係合具９２ｂとの係合状態を解除するとともに、係合フック２６ｂと係合孔８１ｂとの係合状態を解除することにより、工具を用いることなくハウジング２から取り外すことが可能である。
このように、抵抗部８は、ハウジング２に対して着脱可能に装着されている。
【００４３】
糠ケース６は、ハウジング２に着脱可能に装着されている。
糠ケース６は、左右方向へ移動可能に構成されており、左方へ移動させることで、工具を用いることなくハウジング２に装着することが可能である。また、右方へ移動させることで、工具を用いることなくハウジング２から取り外すことが可能である。糠ケース６は、左方へ移動させることでハウジング２から取り外すことができるように構成することもできる。つまり、糠ケース６のハウジング２に対する着脱方向は、左右方向となっている。
【００４４】
図６に示すように、糠ケース６は、糠を貯留する貯留部６ａと、貯留部６ａの右方に配置されるカバー部６ｃとを有しており、貯留部６ａの上面は開口して開口部６ｂを形成している。糠ケース６の開口部６ｂは、糠ケース６をハウジング２に装着した状態において、精白部５の下方に位置しており、精白部５にて玄米から取り除かれた糠が開口部６ｂを通じて貯留部６ａ内に落下するように構成されている。
【００４５】
ハウジング２の前端部には、左右方向に沿って延設される案内溝２８が形成されており、糠ケース６には、案内溝２８と摺動可能に嵌合する嵌合突起６ｄが形成されている。これにより、糠ケース６は左右方向に移動する際に、嵌合突起６ｄが案内溝２８によって左右方向に案内された状態で移動することができ、円滑に移動することが可能となる。
【００４６】
糠ケース６がハウジング２に装着された状態においては、ハウジング２の下面２３における開口部２３ａが貯留部６ａによって覆われており、ハウジング２の右側面２５における開口部２５ａがカバー部６ｃにより覆われている。つまり、ハウジング２の開口面である下面２３および右側面２５の開口部２３ａ、２５ａは、それぞれハウジング２に装着された糠ケース６により閉塞されている。
これにより、ハウジング２の下面２３および右側面２５が開口部２３ａ、２５ａを有していたとしても、糠ケース６をハウジング２に装着することにより、精白部５にて玄米から取り除かれた糠が開口部２３ａ、２５ａを通じて外部に漏れ出すことがない。
【００４７】
一方、糠ケース６をハウジング２から取り外された状態では、ハウジング２における下面２３の開口部２３ａおよび右側面２５の開口部２５ａが開放され、精白部５が開口部２３ａ、２５ａを通じて外部に露出することとなる。
このように、糠ケース６をハウジング２から取り外すと精白部５が外部に露出するため、開口部２３ａ、２５ａからハウジング２内に手を差し入れて、容易に精白部５の清掃を行うことが可能となっている。また、開口部２３ａ、２５ａを通じて精白部５の清掃状態を確認することができ、ハウジング内を清潔に保つことができる。
【００４８】
また、精米機１においては、糠ケース６がハウジング２から取り外されると、精白部５を駆動する駆動部４への電源供給を遮断する遮断装置が設けられている。例えば、ハウジング２の駆動部収容室２Ｂ内に、糠ケース６がハウジング２に装着されるとオンし、ハウジング２から取り外されるとオフするスイッチ４８を遮断装置として設けて、糠ケース６がハウジング２に装着されるとスイッチ４８がオンして駆動部４へ電源が供給され、糠ケース６がハウジング２から取り外されるとスイッチ４８がオフして駆動部４への電源供給が遮断されるように構成することができる。
糠ケース６がハウジング２から取り外され精白部５が外部に露出した状態で駆動部４に電源が供給されると、精白部５が駆動して糠が外部に飛散してしまう。しかし、電源供給の遮断装置を設けることで、糠ケース６が取り外された状態で不意に精白部５が駆動して糠が飛散することを防止できる。
また、糠ケース６をハウジング２から取り外し、さらに抵抗部８および除糠網５２を外した場合、精白ロール５１が外部に露出することとなる。しかし、電源供給の遮断装置を設けることで、外部に露出した状態の精白ロール５１が不意に駆動されることがなく、駆動状態の精白ロール５１に使用者が直接触れてしまうことを防止することができる。
【００４９】
糠ケース６は、内部を視認可能な透明部材にて構成されている。これにより、糠ケース６内に貯留された糠を外部から視認可能となっている。また、右側面２５の開口部２５ａを通じて、ハウジング２の内部に配置されている精白部５を視認することが可能である。
なお、糠ケース６を構成する透明部材は、完全な透明である必要ではなく、内部を視認可能であれば、半透明であったり、着色がなされていたりしてもよい。つまり、糠ケース６を構成する透明部材は、完全な透明部材のみならず、光が透過可能な半透明部材および着色部材をも含むものである。
また、糠ケース６は透明部材にて構成することが好ましいが、清掃が行い易く構成されていれば、必ずしも透明部材にて構成されていなくても良い。
【００５０】
精米ケース７は、ハウジング２に着脱可能に装着されている。
精米ケース７は、前後方向へ移動可能に構成されており、後方へ移動させることで、工具を用いることなくハウジング２に装着することが可能である。また、前方へ移動させることで、工具を用いることなくハウジング２から取り外すことが可能である。つまり、精米ケース７のハウジング２に対する着脱方向は、前後方向となっている。但し、精米ケース７のハウジング２に対する着脱方向は、左右方向とすることも可能である。
【００５１】
図７に示すように、精米ケース７の上面は開口しており、精米ケース７の前部の上面は精白部５にて玄米が精白されることにより生成された精米を取り入れる取入口７ａとなっている。取入口７ａは、精米ケース７がハウジング２に装着された状態で抵抗部８におけるケーシング８１の下方に配置されており、ケーシング８１内に流入した精米が開口部８１ｃおよび取入口７ａを通じて精米ケース７内に落下するように構成されている。
【００５２】
精米ケース７の後部は、糠ケース６の下方に配置されている。精米ケース７の後部を糠ケース６の下方に配置することで、精米機１の前後方向の寸法が大きくなることを抑制しながら、精米ケース７の容量を大きくすることが可能となっている。
精米ケース７の側面には、精米の貯留量を示す目盛りが付されている。
【００５３】
精米ケース７は、内部を視認可能な透明部材にて構成されている。これにより、精米ケース７内に貯留された精米を外部から視認可能となっている。
なお、精米ケース７を構成する透明部材は、完全な透明である必要ではなく、内部を視認可能であれば、半透明であったり、着色がなされていたりしてもよい。つまり、精米ケース７を構成する透明部材は、完全な透明部材のみならず、光が透過可能な半透明部材および着色部材をも含むものである。
また、精米ケース７は透明部材にて構成することが好ましいが、清掃が行い易く構成されていれば、必ずしも透明部材にて構成されていなくても良い。
【００５４】
このように構成される精米機１において、駆動部４のモータ４１を駆動させると、モータ４１からの駆動力が駆動プーリ４２、ベルト４５、従動プーリ４４、および駆動軸４３を順に介して精白ロール５１に伝達され、精白ロール５１が回転駆動される。
精白ロール５１が回転駆動されると、ホッパ本体３１内から流下口３１ｂおよび取入口２２ａを通じて精白部収容室２Ａ内に流入してきた玄米が開口部５２ｂから除糠網５２内に流れ込み、精白ロール５１の螺旋溝５１ａによって除糠網５２内を前方に送られる。
【００５５】
除糠網５２内において前方に送られた玄米は、精白ロール５１の攪拌羽根５１ｂと除糠網５２との間にて、攪拌羽根５１ｂによって後方へ押し戻されつつ、摩擦力によって精白される。除糠網５２内において精白されることにより玄米から取り除かれた糠は、除糠網５２のスリット５２ａを通過して除糠網５２の外部に排出され、ハウジング２の下面２３における開口部２５ａを通じて下方へ落下し、さらに開口部６ｂから糠ケース６の貯留部６ａ内に落下する。
【００５６】
一方、除糠網５２内において玄米から糠が除去されることにより生成された精米は、抵抗部８の抵抗板８２を抵抗バネ８３の付勢力に抗して前方へ押圧し、抵抗板８２とケーシング８１の排出口８１ａとの間に生じた隙間を通じてケーシング８１内に排出される。ケーシング８１内に排出された精米は、開口部８１ｃおよび取入口７ａを通じて精米ケース７内に落下する。
この場合、ダイヤル８４を回動操作して抵抗バネ８３の抵抗板８２に対する付勢力を調整することにより、攪拌羽根５１ｂと除糠網５２との間において玄米に作用する摩擦力を増減させて精米の精白度を調節することが可能である。
【００５７】
このように、精米機１を駆動して玄米の精白を繰り返していくと、精白部５の精白ロール５１や除糠網５２等に玄米から取り除かれた糠が付着して徐々に堆積していくが、除糠網５２等の精白部５における糠の付着状況を、透明部材にて構成される糠ケース６を通じて視認することが可能であるため、精白部５の清掃を行う時期を把握しやすくなっている。さらに、精白部５の清掃後などに、精白部５の清掃状態の確認を行うことが容易である。
【００５８】
また、精白部５の清掃を行う場合、ハウジング２の下面２３および右側面２５は開口部２３ａ、２５ａを有しているため、糠ケース６および精米ケース７をハウジング２から取り外して、精白部５を開口部２３ａ、２５ａを通じて外部に露出させることにより、精白部５の清掃を容易にすることが可能である。
【００５９】
また、精白部５の除糠網５２は、抵抗部８をハウジング２から取り外した後に、嵌合孔２６ａを通じて前方へ引き出すことで、ハウジング２から取り外すことが可能である。これにより、取り外した除糠網５２を単独で容易に清掃することができる。また、除糠網５２を前方に引き出すことで精白ロール５１が外部に露出することとなり、露出した精白ロール５１を容易に清掃することが可能となる。さらに、ハウジング２から取り外した抵抗部８も単独で容易に清掃することが可能である。
また、糠ケース６および精米ケース７もハウジング２から取り外すことが可能に構成されているため、ハウジング２から取り外した糠ケース６および精米ケース７を単独で容易に清掃することが可能である。
【００６０】
また、精米機１においては、糠ケース６のハウジング２に対する着脱方向は左右方向となっており、精米ケース７のハウジング２に対する着脱方向は前後方向となっている。
このように、糠ケース６の着脱方向と精米ケース７の着脱方向とが異なっているため、例えば糠ケース６および精米ケース７の一方をハウジング２から取り外すために引き出した際に、他方が引き連れて引き出されることがなく、糠ケース６および精米ケース７が不意にハウジング２から引き出されることを抑制可能となっている。
【００６１】
また、精米機１においては、駆動部４が収容される駆動部収容室２Ｂは密閉可能であり、駆動部収容室２Ｂと精白部収容室２Ａとは隔離壁２１により隔離されているため、精白部収容室２Ａに収容される精白部５にて生じた糠が駆動部収容室２Ｂ内に侵入することを抑制でき、駆動部４に糠が付着して駆動の妨げになることを抑制可能である。
【符号の説明】
【００６２】
１    精米機
２    ハウジング
２Ａ  精白部収容室
２Ｂ  駆動部収容室
３    玄米ホッパ
４    駆動部
５    精白部
６    糠ケース
７    精米ケース
８    抵抗部
２１    隔離壁
２３ａ  開口部
２５ａ  開口部
４１    モータ
４２    駆動プーリ
４３    駆動軸
４４    従動プーリ
４５    ベルト
５１    精白ロール
５２    除糠網
【図１】
2020062583.tif 000003
【図２】
2020062583.tif 000004
【図３】
2020062583.tif 000005
【図４】
2020062583.tif 000006
【図５】
2020062583.tif 000007
【図６】
2020062583.tif 000008
【図７】
2020062583.tif 000009